(57)【要約】【課題】床暖房パネルの渡り配線が簡易、迅速に行える床下地パネルを提供する。【解決手段】床下地パネル１０は、四周に枠材１１ａ、１１ｂを配して周縁部を形成し、上下に板材を配し、長方形状をなしたパネルであって、周縁部には内外への電気線１の挿通が可能な少なくとも２つの通孔１５ａ、１５ｂが開設され、それらのうちの１つの通孔１５ａは長手方向の枠材１１ａに開設されており、周縁部と板材に囲まれた内部空間には、長手方向の枠材１１ａに略平行な補強桟１２、１２と、電気線１を収納するための収納部（溝部１７ａ、１７ｂ）とが設けられている【選択図】図１
2013234523.tif 000002
【特許請求の範囲】
【請求項１】
四周に枠材を配して周縁部を形成し、上下に板材を配し、長方形状をなした床下地パネルであって、
前記周縁部には内外への電気線の挿通が可能な少なくとも２つの通孔が開設され、それらのうちの１つの通孔は長手方向の枠材に開設されており、
前記周縁部と前記板材に囲まれた内部空間には、前記長手方向の枠材に略平行な補強桟と、前記電気線を収納するための収納部とが設けられていることを特徴とする床下地パネル。
【請求項２】
請求項１において、
前記通孔は、前記周縁部のうちの隣接する辺縁部のそれぞれに開設されていることを特徴とする床下地パネル。
【請求項３】
請求項１または２において、
前記通孔は、前記周縁部のうちの対向する辺縁部のそれぞれに開設されていることを特徴とする床下地パネル。
【請求項４】
請求項１〜３のいずれか１項において、
前記収納部は、溝よりなることを特徴とする床下地パネル。
【発明の詳細な説明】
【技術分野】
【０００１】
本発明は、床パネルの下方に設置する床下地パネルに関する。
【背景技術】
【０００２】
床下地パネルは、床パネルの下方に配されるパネルであり、電気式の床暖房パネルを配設する場合は、コンクリートなどの下地の上で同一平面上に、床暖房パネルに近接、隣接して配設される。
【０００３】
複数の床暖房パネルを並設する場合、床暖房パネル同士を結線（以下、渡り配線という）することが一般に行われている（たとえば、特許文献１参照）。
【０００４】
図４（ａ）〜（ｃ）は、床暖房パネルの並設の３例を示す概略透視平面図（表面材が取り付けられていない状態の図）である。
【０００５】
図４（ａ）の例は、床暖房パネル１３０、１３０を幅方向に並設する場合を示したものであり、その場合、両床暖房パネル１３０、１３０のコネクタ部１３４、１３４同士を、相互に隣り合う挿通口１３５、１３５を通じて渡り配線するようになっている。図４において、１０１は電気線、１３１は枠材、１３３はヒーターパネルである。なお、表面材は不図示とする。
【０００６】
また、図４（ｂ）は、床暖房エリアの端部などの床暖房パネル１３０、１３０同士の結線例を示したものであり、長手方向に並設した床暖房パネル１３０、１３０が長めの電気線１０１で渡り配線されるようになっている。
【０００７】
さらに、図４（ｃ）は、図４（ａ）の変形パターンであり、床暖房パネル１３０、１３０間に合板等で製された床下地パネル１１０を挟むようにして並設する場合を示したものである。この場合、図例のように、床下地パネル１１０を飛び越えるようにして渡り配線がなされる。なお、図４（ｃ）の配設パターンは、同一の床暖房エリア内に床暖房を必要としない箇所がある場合に用いられる施工パターンである。たとえばこのパターンは、対面式のキッチンカウンタなど、床暖房を区切る場合に用いられる。
【０００８】
これらのうち図４（ｂ）（ｃ）に示した配設パターンは、電気線１０１が床暖房パネル１３０の外部に出た状態となるため、電気線１０１の損傷防止のために保護を図る必要がある。また、床暖房パネル１３０や床下地パネル１１０の上方に配設する床パネルの配設作業の邪魔になならないように外部に出た電気線１０１を収納、固定する必要もある。これに対して、従来では、外部に露出された電気線１０１を床下に配線するか、あるいは床下地パネル１１０の上面に溝などの凹部などを設けて、その凹部に収容するようにしていた。
【先行技術文献】
【特許文献】
【０００９】
【特許文献１】特開２００６−９０６６９号公報
【発明の概要】
【発明が解決しようとする課題】
【００１０】
しかしながら、電気線１０１を床下に配線する場合、下地に孔を開ける必要があるが、下地がコンクリートの場合は孔を容易に開設することはできない。また、床下地パネル１１０の上面に凹部を形成する方法では、現場で凹部の形成作業をする必要があるから、作業は簡易、迅速に行えるものではない。特に、渡り配線用の電気線１０１として汎用の長めのものを用いた場合、その剰余分のすべてを収容できる凹部を形成しなければならないから、配線作業には多大な時間を要する可能性もある。
【００１１】
本発明は、このような事情を考慮して提案されたもので、その目的は、床暖房パネルの渡り配線が簡易、迅速に行える床下地パネルを提供することにある。
【課題を解決するための手段】
【００１２】
上記目的を達成するために、本発明に係る床暖房パネルは、四周に枠材を配して周縁部を形成し、上下に板材を配し、長方形状をなした床下地パネルであって、周縁部には内外への電気線の挿通が可能な少なくとも２つの通孔が開設され、それらのうちの１つの通孔は長手方向の枠材に開設されており、周縁部と板材に囲まれた内部空間には、長手方向の枠材に略平行な補強桟と、電気線を収納するための収納部とが設けられていることを特徴とする。
【００１３】
本発明において、通孔が周縁部のうちの隣接する辺縁部のそれぞれに開設された構成としてもよい。
【００１４】
また本発明において、通孔が周縁部のうちの対向する辺縁部のそれぞれに開設された構成としてもよい。
【００１５】
さらに本発明において、通孔が周縁部のうちの対向する辺縁部のそれぞれに開設された構成としてもよい。
【発明の効果】
【００１６】
本発明に係る床下地パネルによれば、上述のような構成としてことで、床暖房パネルの渡り配線が簡易、迅速に行うことができる。
【図面の簡単な説明】
【００１７】
【図１】（ａ）は本発明の一実施形態に係る床下地パネルの分解斜視図、（ｂ）は同床下地パネルの内部構造を示した透視平面図、（ｃ）は本実施形態で使用される床暖房パネルの透視平面図である。
【図２】同床下地パネルを用いた床暖房パネルの設置態様の一例を示した透視平面図である。
【図３】同床下地パネルを用いた床暖房パネルの設置態様の他例を示した透視平面図である。
【図４】（ａ）〜（ｃ）は、従来の床暖房パネルの結線例を示した概略透視平面図である。
【発明を実施するための形態】
【００１８】
以下に、本発明の実施の形態について、添付図面を参照しながら説明する。
【００１９】
本実施形態の床下地パネル１０は、図１（ｃ）にその透視平面図（表面材が取り付けられていない状態）を示した、床暖房パネル３０に隣設される床下地用の長方形状のパネルである。この床下地パネル１０は、図１（ａ）（ｂ）に示すように、四周に枠材１１ａ、１１ａ、１１ｂ、１１ｂが配されて周縁部が形成され、さらに上下には表面材１３と裏面材１４が配されたパネルである。なお後述するように、床下地パネル１０の内部空間には床暖房の施工の際に床暖房パネル３０用の電気線１を通すため、表面材１３は、配線作業の終了時に、枠材１１ａ、１１ａ、１１ｂ、１１ｂに対してねじ１８、１８、・・・で固定される。
【００２０】
対向する長手方向に沿った両辺縁部には、枠材として長枠材１１ａ、１１ａが設けられており、他の両辺縁部には、短枠材１１ｂ、１１ｂが設けられている。両長枠材１１ａ、１１ａは、幅方向の一方の辺縁部（図中、左側）に配した短枠材１１ｂとは接触せずに、一部が切断除去されて外部に通じる通孔１５ａ、１５ａが形成されている。また、幅方向の他方の辺縁部に設けた短枠材１１ｂは、中央の一部が切断除去されて通孔１５ｂが形成されている。
【００２１】
なお、通孔１５ａ、１５ａ、１５ｂは枠材１１ａ、１１ｂの一部除去によって形成されたものに限られず、挿通孔や切欠き凹部で構成されたものでもよい。
【００２２】
これらの枠材１１ａ、１１ｂ、・・・に四周を囲まれた内部空間には、さらに木材、合成樹脂等で形成された長枠材１１ａとほぼ同長の、図１（ｂ）において倒Ｕ字状（Ｕ字が倒れた状態）の２つの対称形状の補強桟１２、１２が配されている。この補強桟１２のＵ字の開口１２ａ側の端部は左側の短枠材１１ｂには接触しておらず、長枠材１１ａに設けた両通孔１５ａ、１５ａ間を連通させた、短枠材１１ｂに沿った通路１６が形成されている。
【００２３】
これらの補強桟１２、１２にはＵ字の開口１２ａからＵ字の底部１２ｂにいたるまでの、長枠材１１ａにほぼ平行な溝部１７ａ、１７ａが形成され、さらに補強桟１２、１２間にも長枠材１１ａにほぼ平行なさらなる溝部１７ｂが形成されている。
【００２４】
補強桟１２、１２間の溝部１７ｂは、幅方向の辺縁部の中央に配された通孔１５ｂに直線的に通じている。また、その溝部１７ｂは、通路１６を介して、長手方向の辺縁部に設けられた両通孔１５ａ、１５ａにも通じている。ようするに、３つの通孔１５ａ、１５ａ、１５ｂを結ぶ通路１６および中央の溝部１７ｂは、図１（ｂ）において倒Ｔ字状（Ｔ字が倒れた状態）をなして、３つの通孔１５ａ、１５ａ、１５ｂが連通した状態となっている。そして、通路１６はさらに、各補強桟１２、１２の内部に設けられた行き止まりの溝部１７ｂ、１７ｂにも通じている。
【００２５】
通路１６につながる上記の３つの溝部１７ａ、１７ａ、１７ｂは、床暖房パネル３０の渡り配線用の電気線１を通すための、または収納するための収納部を構成する。特に、補強桟１２の内部に形成された行き止まりの溝部１７ａは、その溝部１７ａへの出入口（開口１２ａ）が１つであるため挿通させることはできず、電気線１を折り返した状態で収納するために用いられる。つまり、電気線１は開口１２ａから溝部１７ａに入り、開口１２ａから通路１６へ出るように収納される。
【００２６】
また、収納される電気線１は補強桟１２、１２の外面に接する可能性があるため、図例のように、電気線１の損傷防止のために、補強桟１２、１２の角部は面取りされていることが望ましい。
【００２７】
一方、床暖房パネル３０は、図１（ｃ）に示すように、四周に枠材３１、３１、・・・が配され、内部にヒーターパネル３３が配され、上下には板材（表面材（不図示）と裏面材３２）が配された、床下地パネル１０とほぼ同形状をなしたパネルである。
【００２８】
また、ヒーターパネル３３の長手方向の一方の端部側の内部空間にはヒータパネル３３に電気的に接続されたコネクタ部３４が配されている。そのコネクタ部３４を介してヒーターパネル３４に電力を供給できるようになっているとともに、そのコネクタ部３４を介して他の床暖房パネル３０への渡り配線ができるようになっている。
【００２９】
このように電気線１をパネルの内外間で接続できるように、長手方向の枠材３１、３１のそれぞれの一部が切断除去されて、コネクタ部３４と電気線１で結線するための挿通口３５、３５が形成されている。
【００３０】
この挿通口３５、３５は、後述するように、床暖房パネル３０を上述の床下地パネル１０と幅方向に並べて使用するため、床下地パネル１０の長枠材１１ａに設けた通孔１５ａと、辺縁部における同一位置に形成されている。
【００３１】
ついで、この床暖房パネル３０を床下地パネル１０に隣設させた場合の配線例について説明する。
【００３２】
図２の配設パターンは、２つの床暖房パネル３０、３０をそのコネクタ部３４、３４を外側に配するようにして長手方向に沿って並べた例である。それぞれの床暖房パネル３０、３０には、床暖房パネル３０の枠材３１、３１と、長枠材１１ａ、１１ａとが隣接するように、床下地パネル１０、１０が隣設されている。これらの床下地パネル１０、１０は、一方の長枠材１１ａに設けた通孔１５ａが床暖房パネル３０の挿通口３５と位置が合致するように並べてある。
【００３３】
そのように床暖房パネル３０、３０と、床下地パネル１０、１０とを並べた状態では、床暖房パネル３０のコネクタ部３４と、床下地パネル１０の通路１６とが連通状態となる。また、そのように床下地パネル１０、１０を長手方向に並べた状態では、相互に接する短枠材１１ｂ、１１ｂに設けた通孔１５ｂ、１５ｂ同士が重合した（中央の溝部１７ｂ、１７ｂ同士が連通した）状態となる。
【００３４】
このような配設において、床暖房パネル３０、３０同士を渡り配線により結線する場合、図２の例では、電気線１を床暖房パネル３０、３０の幅方向に隣設された２つの床下地パネル１０、１０の内部空間を介して渡り配線するようにしてある。
【００３５】
すなわち、一方（図中、左側）の床暖房パネル３０のコネクタ部３４から導出され挿通口３５より出た電気線１は、長枠材１１ａに設けた通孔１５ａより床下地パネル１０の内部に挿入され、通路１６や溝部１７ａ、１７ｂを通過して、短枠材１１ｂに設けた通孔１５ｂより出される。つまり、電気線１は、この床下地パネル１０に対して、長枠材１１ａに設けた通孔１５ａが入口、短枠材１１ｂに設けた通孔１５ｂが出口となるように挿通されている。
【００３６】
その床下地パネル１０の出口の通孔１５ｂより出た電気線１は、隣設された（右側の）床下地パネル１０に対して、短枠材１１ｂに設けた通孔１５ｂより挿入され、溝部１７ａ、１７ｂや通路１６を通過して、他方の床暖房パネル３０の挿通口３５と重なった通孔１５ａより出される。つまり、電気線１は、右側の床下地パネル１０に対して、短枠材１１ｂに設けた通孔１５ｂが入口、長枠材１１ａに設けた通孔１５ａが入口となるように挿通されている。
【００３７】
そして、電気線１は、その床下地パネル１０に隣設された他方（右側）の床暖房パネル３０の挿通口３５から内部に挿入されてコネクタ部３４に結線される。
【００３８】
また、図２に示すように、この図例で用いられる渡り配線用の電気線１は長いため、各床下地パネル１０の内部空間では、電気線１の剰余分が床暖房パネル３０に近いほうの補強桟１２内に形成された溝部１７ａに収納されている。
【００３９】
なお、図例では、電気線１が折り畳まれた状態で、床暖房パネル３０に近いほうの補強桟１２内の溝部１７ａに収納してあるが、他の溝部１７ａ、１７ｂを用いて収納されるようにしてもよい。たとえば、電気線１がきわめて長い場合は、補強桟１２、１２間の溝部１７ｂに、複数個所で折り畳むように電気線１を収納するようにしてもよいし、床暖房パネル３０から離れたほうの補強桟１２内の溝部１７ａに収納するようにしてもよい。なお、電気線１の剰余分は、輪ゴムなどで束ねた状態で溝部１７ａ、１７ａ、１７ｂに収納すればよい。
【００４０】
図２および後述する図３の例を含む本実施形態によれば、床暖房パネル３０用の電気線１を床下地パネル１０の内部空間を通過させる作業を必要とする。そのため、床下地パネル１０は、表面材１３をあらかじめ分離させておき、配線作業が完了した際にねじ１８、１８、・・・で固定するように施工することが望ましい。
【００４１】
以上のように、床暖房パネル３０、３０間を渡り配線される電気線１を、床暖房パネル３０に隣設させた床下地パネル１０の内部空間を利用して収納する構成としているので、渡り配線がパネルの外部に表われず、スマートな渡り配線を行うことができる。
【００４２】
また、電気線１を床下地パネル１０の溝部１７ａ、１７ｂを含む内部空間に通す構成であるため、電気線１の剰余分を収納、固定するために床下地パネル１０などの上面に凹部を設けたり、下地の下方に配線するために下地に孔を開けたりする必要がない。したがって、渡り配線作業を簡易、迅速に行うことができる。
【００４３】
また、電気線１が長く剰余分が発生する場合、その電気線１の剰余分は長手方向に設けた長い溝部１７ａ、１７ａ、１７ｂに収納されて保護されるので、電気線１がもつれたり、損傷したりするおそれもない。特に本実施形態のように、電気線１の収納部を溝部１７ａ、１７ｂで構成したものでは、電気線１のもつれが防止できるだけではなく、十分な寸法の補強桟１２を設けてパネル全体を強固に形成することもできる。また、収納部を溝部１７ａ、１７ｂで構成すれば、上方からの押圧により表面材１３が収納部側へ撓むおそれはなく、よって収納部に収納された電気線１が押圧されて変形したり損傷したりするおそれもない。
【００４４】
つぎに、床暖房パネル３０を、その幅方向に沿って配設する例について、図３を参照しながら説明する。
【００４５】
この配設パターンは、床暖房パネル３０、３０間に床下地パネル１０を配設する例である。この配設パターンは、対面式のキッチンカウンタなどで１つの床暖房システムを区切る場合に用いられる。
【００４６】
このような配設において、床暖房パネル３０、３０同士を渡り配線により結線する場合、図３の例では、電気線１を床暖房パネル３０、３０間に配設された１つの床下地パネル１０の内部空間を介して渡り配線するようにしてある。
【００４７】
すなわち、一方（図中、上方）の床暖房パネル３０のコネクタ部３４から導出され挿通口３５より出た電気線１は、その挿通口３５に重なった状態にある長枠材１１ａに設けた通孔１５ａより床下地パネル１０の内部に挿入され、対向する他の長枠材１１ａに設けた通孔１５ａより出される。つまり、電気線１は、床下地パネル１０に対して、長枠材１１ａに設けた通孔１５ａが入口、対向する他の長枠材１１ａに設けた通孔１５ａが出口となるように挿通されている。
【００４８】
そして、電気線１は、その床下地パネル１０に隣設された他方（図中、下方）の床暖房パネル３０の挿通口３５から挿入されてコネクタ部３４に結線されている。
【００４９】
図３に示すように、この図例で用いられる渡り配線用の電気線１は長いため、床下地パネル１０の内部空間では、通路１６を通過するだけではなく、電気線１の剰余分が内部に設けられた３つの溝部１７ａ、１７ａ、１７ｂに収納されている。
【００５０】
このように、図３の配設例においても、床暖房パネル３０、３０間をつなぐ電気線１を、それらに隣設させた床下地パネル１０の内部空間を利用して収納する構成としているので、渡り配線がパネルの外部に表われず、スマートな渡り配線を行うことができる。
【００５１】
なお、床暖房パネル３０、３０間に２つ以上の床下地パネル１０を配設する場合も、図３の例と同様に、それぞれの床下地パネル１０において３つの溝部１７ａ、１７ａ、１７ｂを利用することができる。
【００５２】
以上に示したように、図２、図３の配設例では、同一構成の床下地パネル１０が用いられており、それぞれ、３つの通孔１５ａ、１５ａ、１５ｂのうち２つの通孔が、電気線１の入口と出口として使用されている。
【００５３】
このように、本実施形態の床下地パネル１０には、１つの長枠材１１ａに設けた入口用の通孔１５ａのほかに、２つの通孔１５ａ、１５ｂが設けられている。つまり、その長枠材１１ａに隣接する辺縁部（短枠材１１ｂ）と、その長枠材１１ａに対向する辺縁部（長枠材１１ａ）とにも通孔１５ｂ、１５ａが設けられており、そのため同種の床下地パネル１０を図２、図３のいずれの配設パターンにも利用することができる。
【００５４】
もちろん、図２、図３のパターンに対応させて、通孔を周縁部のうち２辺縁部のみに設けた異なる構成の床下地パネルを用いてもよい。また、４辺縁部のそれぞれに通孔を設けたより汎用的な構成としてもよいし、１辺縁部に２以上の通孔を設けた構成としてもよい。すなわち、少なくとも入口、出口用の２つの通孔があり、そのうちの１つの通孔１５ａが、床暖房パネル３０の挿通口３５と合致するように長枠材１１ａに開設された構成であればよい。
【００５５】
なお、以上の例では、３つの通孔１５ａ、１５ａ、１５ｂのうちの特定の１つを入口用として記載したが、その通孔だけが入口用として用いられるものではないことはいうまでもなく、いずれの通孔を入口用として用いてもかまわない。
【００５６】
また、以上の実施形態では、別体の補強桟１２、１２を床下地パネル１０の内部空間に取り付けた例を示したが、長枠材１１ａと補強桟１２とを一体化した部材を用いて床下地パネル１０を構成してもよい。つまり、表面材１３と裏面材１４との間に、両短枠材１１ｂ、１１ｂと、溝部が長手方向に沿って形成された２つの補強桟一体型の長枠材とを挟みこんで、床下地パネルを構成するようにしてもよい。また、２つの補強桟一体型の長枠材をさらに一体化した、櫛歯状に形成した板材を用いてもよい。またさらに、短枠材をも一体化した、通路や溝部がくり抜かれ、通孔を貫通孔に形成した板材を用いてもよい。
【００５７】
なお、電気線１を収納するための収納部を溝部１７ａ、１７ｂで構成した床下地パネル１０を例示したが、収納部を幅寸法の大きな空洞部で構成したものであってもよい。
【符号の説明】
【００５８】
１          電気線
１０        床下地パネル
１１ａ      枠材（長枠材）
１１ｂ      枠材（短枠材）
１２        補強桟
１２ａ      開口
１２ｂ      底部
１３        表面材
１４        裏面材
１５ａ      通孔（長手方向）
１５ｂ      通孔（幅方向）
１６        通路
１７ａ      溝部（補強桟内の溝部）（収納部）
１７ｂ      溝部（補強桟間の溝部）（収納部）
１８        ねじ
３０        床暖房パネル
３１        枠材
３２        裏面材
３３        ヒーターパネル
３４        コネクタ部
３５        挿通口
【図１】
2013234523.tif 000003
【図２】
2013234523.tif 000004
【図３】
2013234523.tif 000005
【図４】
2013234523.tif 000006